(57)【要約】【課題】  不正な香りデータの流通を防止するとともに、香りデータの付加価値を高めること。【解決手段】  この香り情報提供サーバ３は、対象物Ａに関する香り区分情報と、登録・削除用鍵情報Ｘとを関連付けて格納する鍵情報格納部１０８と、登録済の香り区分情報を格納する登録情報格納部１０９と、通信端末２ｂから登録対象の香り区分情報ＤＦと電子鍵Ｋ１とを受信する区分情報受信部１０１と、香り区分情報ＤＦに対応付けられた登録・削除用鍵Ｘを取得する鍵情報取得部１０２と、電子鍵Ｋ１と登録・削除用鍵Ｘとが対応する場合に香り区分情報ＤＦを登録情報格納部１０９に格納する区分情報登録部１０３と、通信端末２ａから再生対象の香りに関する再生香り区分情報ＤＲを受信する再生要求受信部１０６と、再生香り区分情報ＤＦが登録情報格納部１０９に格納されているか否かを応答する応答部１０７とを備える。【選択図】  図１
2006285408.tif 000002
【特許請求の範囲】
【請求項１】
対象物の香りの区分に関する香り区分情報と、前記香り区分情報に関する登録用鍵情報とを関連付けて格納する鍵情報格納手段と、
通信端末によって登録された香り区分情報を格納する登録情報格納手段と、
前記通信端末から、登録対象の香り区分情報と鍵情報とを受信する区分情報受信手段と、
前記区分情報受信手段によって受信された香り区分情報に基づいて前記鍵情報格納手段を参照して、当該香り区分情報に対応付けられた登録用鍵情報を取得する鍵情報取得手段と、
前記区分情報受信手段によって受信された鍵情報と、前記鍵情報取得手段によって取得された登録用鍵情報とが対応するか否かを判定し、対応する場合に前記区分情報受信手段によって受信された香り区分情報を前記登録情報格納手段に格納する区分情報登録手段と、
香り再生側の通信端末から再生しようとする香りに関する再生香り区分情報を受信する再生要求受信手段と、
前記再生香り区分情報が前記登録情報格納手段に格納されているか否かを前記通信端末に応答する応答手段と、
を備えることを特徴とする香り情報提供サーバ。
【請求項２】
前記香り区分情報は、階層構造を有する複数の分類からなるものであり、
前記鍵情報取得手段は、前記区分情報受信手段によって受信された香り区分情報のうちの上位階層の分類に対応付けられた登録用鍵情報を取得する、
ことを特徴とする請求項１記載の香り情報提供サーバ。
【請求項３】
前記鍵情報格納手段は、香り区分情報に対応付けられた再生用鍵情報を更に格納し、
前記鍵情報取得手段は、前記再生要求受信手段によって受信された再生香り区分情報に対応付けられた再生用鍵情報を更に取得し、
前記応答手段は、前記再生用鍵情報を前記香り再生側の通信端末に更に送信する、
ことを特徴とする請求項１又は２記載の香り情報提供サーバ。
【請求項４】
前記再生用鍵情報の送信先を特定することにより、前記送信先を対象に課金する課金処理手段を更に備えることを特徴とする請求項３記載の香り情報提供サーバ。
【請求項５】
請求項１〜４のいずれか１項に記載の香り情報提供サーバと、
前記香り情報提供サーバからの応答に応じて前記対象物の香りを再生する香り再生装置と、
を備えることを特徴とする香り情報提供システム。
【請求項６】
請求項３又は４記載の香り情報提供サーバと、
前記香り情報提供サーバからの応答に応じて前記対象物の香りを再生する香り再生装置とを備え、
前記香り再生装置は、自己の鍵情報と、前記香り情報提供サーバから送信された再生用鍵情報とが対応する場合に、前記対象物の香りを再生する、
ことを特徴とする香り情報提供システム。
【発明の詳細な説明】
【技術分野】
【０００１】
本発明は、ネットワークを介して香りに関するデータを送受信する香り情報提供サーバ、及び香り情報提供システムに関するものである。
【背景技術】
【０００２】
対象物の香りを分析してデジタル情報として生成し、そのデジタルデータを用いて香りを再現する技術としては、下記特許文献１記載の方法が知られている。この方法においては、香り成分センサアレイで検出された香り基本成分の種類及びその濃度に応じたデジタル信号を発生させ、香りの再現時にそのデジタル信号を用いて基本成分毎にその濃度に応じた香りを発生させている。
【０００３】
このような対象物の香りを表現するデジタル信号である香りデータを、ネットワークを介して送信することにより、遠隔地の不特定の送信先に香りを伝達するような伝送システムが開示されている（例えば、下記特許文献２参照）。この伝送システムでは、香りデータに含まれるデジタルデータを送信側でエンコードして送信し、受信側でデコードした後に香りを再現することが行われている。
【特許文献１】特許第２７４１７４９号公報
【特許文献２】特界２００１−３３９３５３号公報
【発明の開示】
【発明が解決しようとする課題】
【０００４】
しかしながら、上記伝送システムでは、送信側の匂いセンサで検出した香りデータが無条件に送信されるため、受信側にとって好ましくない香り（例えば、不快な香り、健康に影響を与える香り等）の再生を防止することはできない。また、特定の香り（例えば、香水等の香り）については、特定の送信者のみに送信を許可したり、特定の送信者以外の者による香りデータの伝達及び改竄を防止したりすることによって、香りデータ自体の付加価値を高めたいといったニーズが大きい。
【０００５】
そこで、本発明は、かかる課題に鑑みて為されたものであり、不正な香りデータの流通を防止するとともに、香りデータの付加価値を高めることが可能な香り情報提供サーバ、及び香り情報提供システムを提供することを目的とする。
【課題を解決するための手段】
【０００６】
上記課題を解決するため、本発明の香り情報提供サーバは、対象物の香りの区分に関する香り区分情報と、香り区分情報に関する登録用鍵情報とを関連付けて格納する鍵情報格納手段と、通信端末によって登録された香り区分情報を格納する登録情報格納手段と、通信端末から、登録対象の香り区分情報と鍵情報とを受信する区分情報受信手段と、区分情報受信手段によって受信された香り区分情報に基づいて鍵情報格納手段を参照して、当該香り区分情報に対応付けられた登録用鍵情報を取得する鍵情報取得手段と、区分情報受信手段によって受信された鍵情報と、鍵情報取得手段によって取得された登録用鍵情報とが対応するか否かを判定し、対応する場合に区分情報受信手段によって受信された香り区分情報を登録情報格納手段に格納する区分情報登録手段と、香り再生側通信端末から再生しようとする香りに関する再生香り区分情報を受信する再生要求受信手段と、再生香り区分情報が登録情報格納手段に格納されているか否かを通信端末に応答する応答手段とを備える。
【０００７】
このような香り情報提供サーバによれば、香りの種類を示す香り区分情報と、その種類に属する香りを登録させる際に認証するための登録用鍵情報とを予め格納しておいて、通信端末から登録しようとする香り区分情報と通信端末が保有する鍵情報とを受け取ると、受け取った香り区分情報に対応する登録用鍵情報と通信端末の鍵情報とを照合し、双方の鍵情報が対応する場合に受け取った香り区分情報を登録情報格納手段に格納する。また、香り再生側の通信端末に対して、再生しようとする香りに関する区分が登録されているか否かが応答される。これにより、香りの種類毎にネットワーク内を流通する香り情報の再生を予め規制することができる。さらには、香りの種類毎に特定の送信者の香り情報の再生を許可することができる。
【０００８】
また、香り区分情報は、階層構造を有する複数の分類からなるものであり、鍵情報取得手段は、区分情報受信手段によって受信された香り区分情報のうちの上位階層の分類に対応付けられた登録用鍵情報を取得することが好ましい。この場合、送信者側で作成される香り区分情報が個別の下位の区分を含む場合であっても、上位の区分毎にデータの登録を制御することができ、不正な香り情報の流通をより効率的に防ぐことができる。
【０００９】
また、鍵情報格納手段は、香り区分情報に対応付けられた再生用鍵情報を更に格納し、鍵情報取得手段は、再生要求受信手段によって受信された再生香り区分情報に対応付けられた再生用鍵情報を更に取得し、応答手段は、再生用鍵情報を香り再生装置に更に送信することも好ましい。こうすれば、登録時のみならず、情報取得側においても香りの種類毎に香りの再生を制限することができる。その結果、不正な香り情報の流通を十分に防止することができる。
【００１０】
また、再生用鍵情報の送信先を特定することにより、送信先を対象に課金する課金処理手段を更に備えることも好ましい。かかる課金処理手段を備えれば、香り情報の提供先のユーザを課金先として容易に設定できる。
【００１１】
本発明の香り情報提供システムは、上述した香り情報提供サーバと、香り情報提供サーバからの応答に応じて対象物の香りを再生する香り再生装置とを備える。このような香り情報提供システムによれば、香りの種類毎にネットワーク内を流通する香り情報を予め規制することで、好ましくない香りの再生を未然に防止することができる。また、香りの種類毎に特定の送信者の香り情報の再生を許可することができる。
【００１２】
また、本発明の香り情報提供システムは、上述した香り情報提供サーバと、香り情報提供サーバからの応答に応じて対象物の香りを再生する香り再生装置とを備え、香り再生装置は、自己の鍵情報と、香り情報提供サーバから送信された再生用鍵情報とが対応する場合に、対象物の香りを再生する。このような香り情報提供システムによれば、香りの種類毎にネットワーク内を流通する香り情報を予め規制することで、好ましくない香りの再生を未然に防止することができる。また、香りの種類毎に予め再生を許可した受信者のみに香り情報からの香りの再生を許可することができる。
【発明の効果】
【００１３】
本発明によれば、不正な香りデータの流通を防止するとともに、香りデータの付加価値を高めることができる。
【発明を実施するための最良の形態】
【００１４】
以下、図面とともに本発明による香り情報提供システムの好適な実施形態について詳細に説明する。なお、図面の説明においては同一要素には同一符号を付し、重複する説明を省略する。
【００１５】
図１は、本発明による香り情報提供システムの好適な一実施形態を示す概略構成図である。同図に示す香り情報提供システム１は、香りセンサ６において対象物Ａから発する香りを検出して生成された香りデータの香り再生装置４側での再生を制御する制御システムである。香り情報提供システムは、香りセンサ６と有線あるいは近距離無線で接続された携帯電話機（通信端末）２ｂと、香り再生装置４と非接触型ＩＣカード通信によって通信可能な携帯電話機（香り再生側通信端末）２ａと、携帯電話機２ａ，２ｂと移動体通信網等のネットワーク５を介して接続可能な香り情報提供サーバ３とを備えて構成される。ここで、香り再生装置４と携帯電話機２ａとは、有線あるいは非接触型ＩＣカード通信以外の無線通信を用いて接続可能に構成されていてもよい。また、ネットワーク５は、移動体通信網以外のインターネット、固定電話網、ＬＡＮ（Local Area Netwok）、ＷＡＮ（Wide Area Network）等で構成されていてもよい。また、携帯電話機２ａ，２ｂに代えて、パーソナルコンピュータ、移動通信端末、ＰＤＡ（Personal Digital Assistance）等の通信端末を用いてもよい。以下、各構成要素について説明する。
【００１６】
香りセンサ６は、対象物Ａから発せされる香りを対象にして、香り成分毎の量を定量的に分析する装置である。香りセンサ６は、複数のセンサ素子、演算処理部、メモリ等からなり、複数のセンサ素子から出力された検出信号を、各香り成分情報と濃度情報との複数の組合せに変換し、それらの組合せから香りセンサ６において香りを再生するための再生制御用データ（香りデータ）を生成する。
【００１７】
携帯電話機２ｂは、香りセンサ６から再生制御用データを受信し、再生制御用データをネットワーク５を介して、又は近距離無線通信を用いて携帯電話機２ａに送信する。この場合、再生制御用データの送信先は、携帯電話機２ｂにおいてその都度指定されてもよいし、予め携帯電話機２ｂのメモリに登録しておいてもよい。また、携帯電話機２ａのユーザからの要求を受け付けることによって、再生制御用データを送信するように動作してもよい。
【００１８】
また、携帯電話機２ｂは、香りセンサ６から再生制御用データを受信すると共に、再生制御用データから香りセンサ６によって検出された対象物Ａの香りの区分に関する香り区分を判定し、香り区分情報ＤＦを生成する。例えば、対象物Ａが「バレンシアオレンジ」である場合は、香り区分情報ＤＦとして、“分類Ａ：00（自然物）；分類Ｂ：00（植物）；分類Ｃ：00（固体）；分類Ｄ：00（果実）；分類Ｅ：00（オレンジ）；分類Ｄ：00（バレンシア）”といった情報を判別する。この判別には、予め携帯電話機２ｂのメモリに格納されている再生制御用データと香り区分情報との対応を示すテーブルデータを参照することにより、香りセンサ６から送られた再生制御用データに類似する香りに関する香り区分情報ＤＦを判別する。なお、生成される香り区分情報ＤＦの全部又は一部は、携帯電話機２ｂのボタン等の入力装置（図示せず）から直接入力されるものであってもよい。携帯電話機２ｂは、携帯電話機２ｂのユーザからの香り区分情報の登録要求に応じて、生成された香り区分情報ＤＦと、メモリに予め格納された電子鍵（鍵情報）Ｋ１とを香り情報提供サーバ３に送信する。
【００１９】
香り情報提供サーバ３は、機能的な構成要素として、区分情報受信部（区分情報受信手段）１０１と、鍵情報取得部（鍵情報取得手段）１０２と、区分情報登録部（区分情報登録手段）１０３と、削除要求受信部１０４と、区分情報更新部１０５と、再生要求受信部（再生要求受信手段）１０６と、応答部（応答手段）１０７と、鍵情報格納部（鍵情報格納手段）１０８と、登録情報格納部（登録情報格納手段）１０９と、課金処理部（課金処理手段）１１０を備えている。以下、香り情報提供サーバ３の各構成要素について詳細に説明する。
【００２０】
区分情報受信部１０１は、携帯電話機２ｂから登録対象の香り区分情報ＤＦと携帯電話機２ｂが保持する電子鍵Ｋ１とを受信する。区分情報受信部１０１は、受信した香り区分情報ＤＦと電子鍵Ｋ１とを鍵情報取得部１０２に出力する。ここで、区分情報受信部１０１が受信する香り区分情報ＤＦは、階層構造を有する複数の分類「分類Ａ」、「分類Ｂ」、・・・からなり、下位の分類が上位の分類に従属するような階層構造を有している。例えば、「分類Ｆ：00（バレンシア）」、「分類Ｆ：01（ネーブル）」、及び「分類Ｆ：02（福原）」は、「分類Ｅ：00（オレンジ）」に従属している。また、区分情報受信部１０１が受信する香り区分情報ＤＦは、「分類Ａ」から連続した下位の分類までの区分を含むが、全体の分類数については携帯電話機２ｂにおいて随時設定される。
【００２１】
鍵情報取得部１０２は、区分情報受信部１０１から出力された香り区分情報ＤＦに基づいて鍵情報格納部１０８を参照して香り区分情報ＤＦに対応する登録・削除用鍵（登録用鍵情報）Ｘを取得する。ここで、図２は、鍵情報格納部１０８のデータ構成の一例を示す図である。同図に示すように、鍵情報格納部１０８には、「分類Ａ」〜「分類Ｆ」からなる香り区分情報と、香り区分情報の登録及び削除を制御するための登録・削除用鍵Ｘと、分類区分情報に対応する香りデータの再生を制御するための再生用鍵Ｚとが、関連づけて格納されている。例えば、鍵情報取得部１０２は、香り区分情報ＤＦが“分類Ａ：00（自然物）；分類Ｂ：00（植物）；分類Ｃ：00（固体）；分類Ｄ：00（果実）；分類Ｅ：00（オレンジ）；分類Ｄ：01（ネーブル）”である場合は、その香り区分情報ＤＦに一致する分類に対応する登録・削除用鍵Ｘ“Ｘ０１”を取得する。鍵情報取得部１０２は、香り区分情報ＤＦと電子鍵Ｋ１と登録・削除用鍵Ｘとを、区分情報登録部１０３に出力する。
【００２２】
この場合、鍵情報取得部１０２は、香り区分情報ＤＦのうちの上位階層の分類に対応する登録・削除用鍵Ｘを読み出すように動作する。具体的には、香り区分情報ＤＦが“分類Ａ：01（加工品）；分類Ｂ：01（非食用）；分類Ｃ：01（液体）；分類Ｄ：00（香料）；分類Ｅ：00（香水）；分類Ｆ：01（Ｃ社製）；分類Ｇ：05（Ｃ社No.5）”である場合には、「分類Ａ」〜「分類Ｆ」までの組合せに対応する登録・削除用鍵Ｘ“Ｘ６０”を読み出す。また、鍵情報格納部１０８において、一部の下位分類が登録されていない場合は、登録されている上位分類のみで香り区分情報ＤＦとの一致を判断する。例えば、鍵情報格納部１０８に登録されている“分類Ａ：01（加工品）；分類Ｂ：01（非食用）；分類Ｃ：01（液体）；分類Ｄ：00（香料）；分類Ｅ：01（シンナー）”については、分類Ａ〜Ｅまでの一致を判断する。これにより、携帯電話機２ｂから鍵情報格納部１０８において管理されていない下位分類の香り区分情報の登録が可能にされる。
【００２３】
また、鍵情報取得部１０２は、同様にして、携帯電話機２ａから受信された再生対象の香りに関する再生香り区分情報ＤＲ（詳細は後述する。）に対応する再生用鍵Ｚを、鍵情報格納部１０８から読み出すと共に、読み出した再生用鍵Ｚを応答部１０７に出力することも行う。
【００２４】
図１に戻って、区分情報登録部１０３は、鍵情報取得部１０２から出力された電子鍵Ｋ１と登録・削除用鍵Ｘとが一致するか否かを判定し、一致する場合に香り区分情報ＤＦを登録情報格納部１０９に格納する。なお、区分情報登録部１０３は、電子鍵Ｋ１と登録・削除用鍵Ｘとが一致する場合の他、鍵生成関数等を用いた所定のアルゴリズムで、電子鍵Ｋ１と登録・削除用鍵Ｘとが対応すると判定される場合に、香り区分情報ＤＦを登録情報格納部１０９に格納するように動作してもよい。図３には、登録情報格納部１０９において、香り区分情報ＤＦ“分類Ａ：01（加工品）；分類Ｂ：01（非食用）；分類Ｃ：01（液体）；分類Ｄ：00（香料）；分類Ｅ：00（香水）；分類Ｆ：01（Ｃ社製）；分類Ｇ：05（Ｃ社No.5）”が格納された状態を示している。
【００２５】
図１に戻って、削除要求受信部１０４は、携帯電話機２ｂから登録情報格納部１０９に格納された香り区分情報に関する削除要求と携帯電話機２ｂの電子鍵Ｋ１とを受信する。すなわち、削除要求受信部１０４は、携帯電話機２ｂから削除対象の香り区分情報を特定する情報として、例えば、データID（図３参照）を含む削除コマンドを受信する。削除要求受信部１０４は、受信した削除コマンド及び電子鍵Ｋ１を区分情報更新部１０５に出力する。
【００２６】
区分情報更新部１０５は、携帯電話機２ｂからの削除要求に対して、削除対象の香り区分情報に対応する登録・削除用鍵Ｘと電子鍵Ｋ１とを照合して、照合結果に応じて登録情報格納部１０９から香り区分情報を削除する。詳細には、区分情報更新部１０５は、削除要求に含まれるデータIDに対応する香り区分情報を登録情報格納部１０９から読み出した後、その香り区分情報に対応付けられた登録・削除用鍵Ｘを鍵情報格納部１０８から取得する。このとき、区分情報更新部１０５は、削除対象の香り区分情報のうちの上位階層の分類に対応する登録・削除用鍵Ｘを読み出すように動作する。具体的には、削除対象の香り区分情報が“分類Ａ：01（加工品）；分類Ｂ：01（非食用）；分類Ｃ：01（液体）；分類Ｄ：00（香料）；分類Ｅ：00（香水）；分類Ｆ：01（Ｃ社製）；分類Ｇ：05（Ｃ社No.5）”である場合には、「分類Ａ」〜「分類Ｆ」までの組合せに対応する登録・削除用鍵Ｘ“Ｘ６０”を読み出す。そして、区分情報更新部１０５は、電子鍵Ｋ１と登録・削除用鍵Ｘとを照合し、双方の電子鍵が対応する場合に、データIDに対応する香り区分情報を登録情報格納部１０９から削除する。
【００２７】
再生要求受信部１０６は、携帯電話機２ａから再生しようとする香りの区分に関する再生香り区分情報ＤＲを含む再生要求情報を受信すると共に、再生香り区分情報ＤＲが登録情報格納部１０９に格納されているか否かを判定する。そして、再生要求受信部１０６は、再生香り区分情報ＤＲが登録情報格納部１０９に格納されている場合に、鍵情報取得部１０２に再生香り区分情報ＤＲを出力する。再生要求受信部１０６は、再生香り区分情報ＤＲが登録情報格納部１０９に格納されていない場合は、携帯電話機２ａに香りデータの再生を拒否する拒否応答を送信する。
【００２８】
応答部１０７は、鍵情報取得部１０２から再生用鍵Ｚを受け取った場合に、香りデータの再生を許可する許可応答に再生用鍵Ｚを付加して、携帯電話機２ａに返信する。例えば、応答部１０７は、携帯電話機２ａから再生香り区分情報ＤＲ“分類Ａ：01（加工品）；分類Ｂ：01（非食用）；分類Ｃ：01（液体）；分類Ｄ：00（香料）；分類Ｅ：00（香水）；分類Ｆ：01（Ｃ社製）；分類Ｇ：05（Ｃ社No.5）”を受信した場合は、登録情報格納部１０９に当該再生香り区分情報ＤＲが登録されているので、分類Ａ〜Ｆに対応する再生用鍵Ｚ“Ｚ５０”（図２参照）を許可応答に付加して返信する。
【００２９】
課金処理部１１０は、応答部１０７から送信される許可応答をモニタすることにより、許可応答の送信先である携帯電話機２ａを電話番号等の通信先情報で特定し、特定した送信先を対象に課金処理を行う。課金処理部１１０は、例えば、香り情報提供サーバ３又は外部のサーバ内に格納されている携帯電話機２ａに関する請求額情報に所定の金額を加算したり、携帯電話機２ａに関するサービス利用履歴に履歴情報を追加したりすることで課金処理を行う。
【００３０】
携帯電話機２ａは、対象物Ａの香りを再生しようとするユーザが使用する携帯電話機である。携帯電話機２ａは、携帯電話機２ｂから送信された対象物Ａに関する再生制御用データを非接触型ＩＣカード等のメモリに格納する。また、携帯電話機２ａは、携帯電話機２ｂから再生制御用データを受信すると共に、対象物Ａの香りの区分に関する香り区分を判定し、再生香り区分情報を生成した後、再生香り区分情報を再生制御用データに関連づけてメモリに格納する。この再生香り区分情報は、再生制御用データと共に携帯電話機２ａから送信されたものであってもよい。
【００３１】
さらに、携帯電話機２ａは、ボタン等の入力装置から再生制御用データの再生要求を受け付けた場合に、再生対象の再生制御用データに対応する再生香り区分情報ＤＲを含む再生要求情報を、香り情報提供サーバ３に送信する。携帯電話機２ａは、香り情報提供サーバ３から再生香り区分情報ＤＲに対応する再生用鍵Ｚを含む許可応答を受信した場合に、再生制御用データと再生用鍵Ｚとを、非接触型ＩＣカード通信、赤外線通信等の近距離無線を用いて香り再生装置４に送出する。
【００３２】
香り再生装置４は、香りセンサ６によって生成された再生制御用データをもとに対象物Ａの香りを再生する装置であり、異なる香り成分を有する複数の香り発生源、香り発生源における香り成分の発生量を制御する制御部、メモリ（ともに図示せず）等から構成されている。また、香り再生装置４は、予めメモリ内に自己の電子鍵Ｋ２を保持している。香り再生装置４は、携帯電話機２ａから再生制御用データと再生用鍵Ｚとを受け取った場合は、再生用鍵Ｚと電子鍵Ｋ２とを照合し、双方の電子鍵が対応する場合に、再生制御用データを用いて香りを再生するように動作する。
【００３３】
以下、図４及び図５を参照しながら香り情報提供システム１の動作について説明する。図４は、情報提供システム１における香り区分情報の登録処理及び香りデータ再生処理を示すシーケンス図、図５は、情報提供システム１における香り区分情報の削除処理を示すシーケンス図である。
【００３４】
まず、図４を参照して、香りセンサ６によって対象物Ａの香りを検出することにより再生制御用データが生成される（ステップＳ０１）。次に、再生制御用データは携帯電話機２ｂによって受信されると共に、再生制御用データに対応する香り区分情報ＤＦが判定される（ステップＳ０２）。その後、ユーザの登録要求が受け付けられると、携帯電話機２ｂから香り情報提供サーバ３に対して、判定された香り区分情報ＤＦと携帯電話機２ｂの電子鍵Ｋ１とが送信される（ステップＳ０３）。また同時に、香り再生側の携帯電話機２ａに対して対象物Ａに関する再生制御用データが送信され、携帯電話機２ａ内のメモリに格納される（ステップＳ０４）。
【００３５】
これに対して、香り情報提供サーバ３は、鍵情報格納部１０８を参照して香り区分情報ＤＦに対応する登録・削除用鍵Ｘを取得する（ステップＳ０５）。次に、香り情報提供サーバ３は、携帯電話機２ｂの電子鍵Ｋ１と登録・削除用鍵Ｘとが対応するものであるか否かを判断する（ステップＳ０６）。判断の結果、双方の電子鍵が対応すると判断した場合（ステップＳ０６；ＹＥＳ）には、香り情報提供サーバ３は、登録情報格納部１０９に香り区分情報ＤＦを格納する（ステップＳ０７）。一方、電子鍵が対応しないと判断した場合（ステップＳ０６；ＮＯ）には、携帯電話機２ｂに登録失敗を通知する。
【００３６】
携帯電話機２ａにおいて、再生制御用データが受信されると、その再制御用データに対応する香り区分データが判定された後、再生制御用データと香り区分情報とが関連付けてメモリに格納される（ステップＳ０８）。その後、携帯電話機２ａのユーザから再生制御用データの再生要求が受け付けられると、再生対象の再生制御用データに対応する再生香り区分情報ＤＲがメモリから読み出され、再生香り区分情報ＤＲを含む再生要求情報が、香り情報提供サーバ３に送信される（ステップＳ０９）。
【００３７】
香り情報提供サーバ３は、再生香り区分情報ＤＲが登録情報格納部１０９に格納されているかを判断した後、再生香り区分情報ＤＲに対応する再生用鍵Ｚを鍵情報格納部１０８から取得する（ステップＳ１０）。次に、香り情報提供サーバ３は、再生用鍵Ｚが付加された許可応答を携帯電話機２ａに返信する（ステップＳ１１）。
【００３８】
これに対して、携帯電話機２ａによって再生用鍵Ｚと再生対象の再生制御用データとが香り再生装置４に送信される（ステップＳ１２）。その後、香り再生装置４によって、再生用鍵Ｚと自己の電子鍵Ｋ２とが照合される（ステップＳ１３）。照合の結果、双方の鍵が対応すると判断された場合は（ステップＳ１３；ＹＥＳ）、香り再生装置４において再生制御用データを用いて対象物Ａの香りが再生される（ステップＳ１４）。一方、双方の鍵が対応しないと判断された場合は（ステップＳ１３；ＮＯ）、処理の中止が携帯電話機２ａに通知され、携帯電話機２ａに格納されている再生用鍵Ｚが削除される。
【００３９】
また、香り情報提供サーバ３は、上述したステップＳ１１の処理と同時に、携帯電話機２ａに送信される許可応答をモニタすることによって、許可応答の送信先を特定する（ステップＳ１５）。そして、香り情報提供サーバ３は、特定した送信先である携帯電話機２ａを対象に課金処理を実行する（ステップＳ１６）。
【００４０】
次に、図５を参照して、香り区分情報の削除時の処理の流れについて説明する。
【００４１】
まず、携帯電話機２ｂにおいて、香り情報提供サーバ３に接続することによって、登録情報格納部１０９に格納されている香り区分情報が参照される（ステップＳ２１）。その後、携帯電話機２ａにおいて、削除対象の香り区分情報を特定するデータＩＤを含む削除要求が受け付けられる（ステップＳ２２）。そして、携帯電話機２ａから香り情報提供サーバ３に対して、携帯電話機２ｂの電子鍵Ｋ１と、削除対象を特定するデータＩＤを含む削除要求が送信される（ステップＳ２３）。
【００４２】
これに対して、香り情報提供サーバ３は、登録情報格納部１０９及び鍵情報格納部１０８を参照することにより、削除対象の香り区分情報に対応する登録・削除用鍵Ｘが取得される（ステップＳ２４）。その後、香り情報提供サーバ３は、取得した登録・削除用鍵Ｘと、携帯電話機２ｂの電子鍵Ｋ１とが対応するものであるか否かを判断する（ステップＳ２５）。判断の結果、双方の電子鍵が対応するものである場合は（ステップＳ２５；ＹＥＳ）、登録情報格納部１０９から該当する香り区分情報を削除する（ステップＳ２６）。一方、双方の電子鍵が対応するものでない場合は（ステップＳ２５；ＮＯ）、携帯電話機２ｂに拒否応答を送信する。
【００４３】
以上説明した香り情報提供システム１によれば、香りの種類毎にネットワーク５内を流通する香り情報を予め規制することで、好ましくない香りの再生を未然に防止することができる。また、香りの種類毎に特定の送信者の香り情報の再生を許可することができる。さらに、香りの種類毎に予め再生を許可した受信者のみに香り情報からの香りの再生を許可することができる。
【００４４】
また、鍵情報取得部１０２が区分情報受信部１０１によって受信された香り区分情報のうちの上位階層の分類に対応付けられた登録・削除用鍵Ｘを取得することで、送信者側で作成される香り区分情報が個別の下位の区分を含む場合であっても、上位の区分毎にデータの登録を制御することができ、不正な香り情報の流通をより効率的に防ぐことができる。
【００４５】
また、再生用鍵Ｚの送信先に対して課金処理を行うので、香り情報の提供先のユーザを課金先として容易に設定できる。
【００４６】
なお、本発明は上述した各実施形態に限定されるものではない。例えば、携帯電話機２ａと香り再生装置４、又は携帯電話機２ｂと香りセンサ６は一体化された装置であってもよい。
【図面の簡単な説明】
【００４７】
【図１】本発明による香り情報提供システムの好適な一実施形態を示す概略構成図である。
【図２】図１の鍵情報格納部のデータ構成の一例を示す図である。
【図３】図１の登録情報格納部のデータ構成の一例を示す図である。
【図４】図１の香り情報提供システムの動作を示すシーケンス図である。
【図５】図１の香り情報提供システムの動作を示すシーケンス図である。
【符号の説明】
【００４８】
１…香り情報提供システム、２ａ…携帯電話機（通信端末）、２ｂ…携帯電話機（香り再生側の通信端末）、３…香り情報提供サーバ、４…香り再生装置、５…ネットワーク、６…香りセンサ、１０１…区分情報受信部（区分情報受信手段）、１０２…鍵情報取得部（鍵情報取得手段）、１０３…区分情報登録部（区分情報登録手段）、１０６…再生要求受信部（再生要求受信部）、１０７…応答部（応答手段）、１０８…鍵情報格納部（鍵情報格納手段）、１０９…登録情報格納部（登録情報格納手段）、１１０…課金処理部（課金処理手段）、Ａ…対象物。
【図１】
2006285408.tif 000003
【図２】
2006285408.tif 000004
【図３】
2006285408.tif 000005
【図４】
2006285408.tif 000006
【図５】
2006285408.tif 000007